(57)【要約】【課題】  コンパクトで操作性が高い車両用空調装置の操作装置を提供すること。【解決手段】  ユニットボディ１７にはダイアル２４が回動可能に装着されており、ダイアル２４を回動操作することに基いて複数のモードマーク３４をポインタ３５に選択的に合わせると、モードマーク３４の選択結果に応じた吹出口が選択的に開放される。この構成の場合、ダイアル２４の内周部にリアデフッガ機能をオンオフするノブ４０が押込み操作可能に収納されているので、モード選択ユニット１が小形化される。しかも、ダイアル２４およびノブ４０を続けて操作する場合に手を殆ど移動する必要がなくなるので、操作性が向上する。【選択図】  図１
2005096582.tif 000002
【特許請求の範囲】
【請求項１】
回動可能に設けられ、内気を車室内に取入れる取入口および外気を車室内に取入れる取入口を回動位置に応じて選択的に開放する外ダイアルと、
前記外ダイアルの中央部に回動可能に収納され、車室内への風の吹出風量を回動位置に応じて調節する内ダイアルとを備え、
前記内ダイアルは、前記外ダイアルに対して同心状に配置されていることを特徴とする車両用空調装置の操作装置。
【請求項２】
内ダイアルには、光源からの投射光を外部に放出することに基いて風の吹出風量を表示する開口部が設けられていることを特徴とする請求項１記載の車両用空調装置の操作装置。
【請求項３】
回動可能に設けられ、車室内に対する風の吹出位置または風の吹出温度を回動位置に応じて調節するダイアルと、
前記ダイアルに設けられ、風の吹出位置または風の吹出温度を示す複数のマークと、
前記ダイアルの中央部に回動不能に設けられたノブベースと、
前記ノブベースに押込み可能に設けられ、デフッガ機能をオンオフするスイッチまたはエアコン機能をオンオフするスイッチを操作するノブとを備え、
前記ノブベースには、前記複数のマークの内周部に選択的に対向することに基いて風の吹出位置または風の吹出温度を表示するポインタが設けられていることを特徴とする車両用空調装置の操作装置。
【発明の詳細な説明】
【技術分野】
【０００１】
本発明は、車載の空調装置を車内で操作する操作装置に関する。
【背景技術】
【０００２】
上記操作装置には、ノブの操作内容に応じて内気取入口および外気取入口を選択的に開放し、ダイアルの操作内容に応じて風の吹出位置を調節する構成のものがある。
【発明の開示】
【発明が解決しようとする課題】
【０００３】
この構成の場合、ノブの側方にノブから離れてダイアルが配置されているので、操作装置が大形化される傾向にあった。しかも、ノブおよびダイアルを続けて操作する場合に手を大きく移動する必要があるので、操作性の点でも改善の余地がある。
本発明は上記事情に鑑みてなされたものであり、その目的は、コンパクトで且つ操作性が高い車両用空調装置の操作装置を提供することにある。
【課題を解決するための手段】
【０００４】
請求項１に係る発明は、回動可能に設けられ内気を車室内に取入れる取入口および外気を車室内に取入れる取入口を回動位置に応じて選択的に開放する外ダイアルと、前記外ダイアルの中央部に回動可能に収納され車室内への風の吹出風量を回動位置に応じて調節する内ダイアルとを備え、前記内ダイアルおよび前記外ダイアルが同心状に配置されているところに特徴を有している。
請求項２に係る発明は、光源からの投射光を外部に放出することに基いて風の吹出風量を表示する開口部が内ダイアルに設けられているところに特徴を有している。
請求項３に係る発明は、回動可能に設けられ車室内に対する風の吹出位置または風の吹出温度を回動位置に応じて調節するダイアルと、前記ダイアルに設けられ風の吹出位置または風の吹出温度を示す複数のマークと、前記ダイアルの中央部に回動不能に設けられたノブベースと、前記ノブベースに押込み可能に設けられデフッガ機能をオンオフするスイッチまたはエアコン機能をオンオフするスイッチを操作するノブとを備え、前記複数のマークの内周部に選択的に対向することに基いて風の吹出位置または風の吹出温度を表示するポインタが前記ノブベースに設けられているところに特徴を有している。
【発明の効果】
【０００５】
請求項１に係る発明によれば、外ダイアルの中央部に内ダイアルが同心状に収納されている。このため、外ダイアルの内周部のデッドスペースを有効利用できるので、操作装置が小形化される。しかも、外ダイアルおよび内ダイアルを続けて操作する場合に手を殆ど移動する必要がなくなるので、操作性が向上する。
請求項２に係る発明によれば、光源からの投射光をレンズ状のポインタに照射することに基いてポインタを照明する必要がなくなる。このため、レンズ状のポインタを廃止できるので、構成が簡単になり、コストが低減される。
請求項３に係る発明によれば、ダイアルの中央部にノブが収納されている。このため、ダイアルの内周部のデッドスペースを有効利用できるので、操作装置が小形化される。しかも、ダイアルおよびノブを続けて操作する場合に手を殆ど移動する必要がなくなるので、操作性が向上する。
【発明を実施するための最良の形態】
【０００６】
本発明の第１実施例を図１〜図５に基いて説明する。自動車の車内には、図５に示すように、操作装置に相当するモード選択ユニット１とブロアユニット２と温度コントロールユニット３とが装着されている。これらモード選択ユニット１〜温度コントロールユニット３は機械的および電気的に分離独立したものであり、モード選択ユニット１〜温度コントロールユニット３の詳細構成は次の通りである。
１．モード選択ユニット１
自動車のインストルメントパネル側には、図１の（ｂ）に示すように、合成樹脂製のユニットベース１１が固定されている。このユニットベース１１には筒状の軸受１２が一体形成されており、軸受１２の内周面には筒状のシャフト１３が回転可能に嵌合されている。このシャフト１３は合成樹脂を材料に形成されたものであり、シャフト１３にはケーブルベース１４が一体形成されている。
【０００７】
ケーブルベース１４には、図２に示すように、操作子に相当するケーブル１５の左端部が装着されており、ケーブル１５の右端部は空調装置（図示せず）に機械的に接続されている。これらシャフト１３・ケーブルベース１４・ケーブル１５はケーブルユニット１６を構成するものであり、ケーブル１５の右端部はケーブルベース１４がシャフト１３を中心に回動することに基いて移動する。
【０００８】
ユニットベース１１には、図１の（ｂ）に示すように、合成樹脂製のユニットボディ１７が固定されている。このユニットボディ１７には、図２に示すように、複数の取付孔１８が形成されており、ユニットボディ１７は複数の取付孔１８をクラスタパネル１９（図５参照）の爪部（図示せず）に係合することに基いてクラスタパネル１９に固定される。
ユニットボディ１７の外周部には、図２に示すように、複数のスナップフィット部２０が一体形成されている。これらスナップフィット部２０は共通の円形軌跡上に円周方向に等ピッチで配置されたものであり、図１の（ｂ）に示すように、前後方向へ延びる脚部２１と脚部２１の先端部に位置する突状の爪部２２とから構成されている。
【０００９】
ユニットボディ１７の前端部には、図２に示すように、有色不透明な合成樹脂からなる円筒状のダイアルベース２３が一体形成されている。このダイアルベース２３の外周部には、図１の（ｂ）に示すように、合成樹脂製のダイアル２４が挿入されており、ダイアル２４の後端部には、図２に示すように、径大なリング状の座部２５が一体形成されている。この座部２５には、図１の（ｂ）に示すように、複数の爪部２２が係合しており、ダイアル２４は爪部２２および座部２５間の係合力でユニットボディ１７に対して抜止めされている。即ち、ダイアル２４は内周面および外周面がダイアルベース２３および複数のスナップフィット部２０により案内されることに基いてユニットボディ１７に対して回転操作されるものである。
【００１０】
ダイアル２４の内周面には、図２に示すように、ギア部２６が一体形成されており、ギア部２６には、図１の（ｂ）に示すように、主動ギア２７の径大部２８が噛合されている。この主動ギア２７は合成樹脂を材料に形成されたものであり、歯車状の径大部２８および歯車状の径小部２９を一体に有している。この主動ギア２７はユニットボディ１７に軸３０を中心に回転可能に装着されたものであり、ダイアル２４の操作時には主動ギア２７がダイアル２４に対して相対的に回転する。
【００１１】
主動ギア２７の径小部２９には合成樹脂製の従動ギア３１が噛合されている。この従動ギア３１はシャフト１３に回転不能に固定されたものであり、ダイアル２４の操作時には従動ギア３１が主動ギア２７を介して回転操作されることに基いてケーブル１５を移動操作する。即ち、主動ギア２７はダイアル２４の操作力を従動ギア３１に伝達する伝達部材およびダイアル２４の操作量に対する従動ギア３１の回転量を調節する調節部材として機能するものであり、具体的にはダイアル２４の操作量と従動ギア３１の回転量とは「１：１」に設定されている。
【００１２】
ダイアル２４には、図２に示すように、円弧状の開口部３２が形成されている。この開口部３２内には、図１の（ｂ）に示すように、有色不透明な合成樹脂製のマークプレート３３が固定されており、マークプレート３３には、図１の（ａ）に示すように、無色透明な複数のモードマーク３４が固定されている。
ダイアルベース２３には無色透明な合成樹脂製のポインタ３５が固定されている。このポインタ３５はモードマーク３４と協働して風の吹出位置を表示するものであり、具体的にはダイアル２４を回動操作することに基いて複数のモードマーク３４をポインタ３５の外周部に選択的に対向させると、ケーブル１５がダイアル２４の回転位置に応じて移動し、空調装置がモードマーク３４の選択結果に応じた吹出口を選択的に開放する。
【００１３】
ユニットボディ１７内には、図１の（ｂ）に示すように、合成樹脂製のスイッチ基板３６が固定されており、スイッチ基板３６にはリアデフォッガ機能をオンオフするスイッチ３７が機械的に固定されている。このスイッチ３７はプランジャ３８が後方へ押込み操作されたオン状態に自己保持されるロック式のプッシュ‐プッシュスイッチからなるものであり、プランジャ３８には合成樹脂製のノブホルダ３９が機械的に連結されている。
【００１４】
ノブホルダ３９には有色不透明な合成樹脂製のノブ４０が固定されており、ノブ４０には、図１の（ａ）に示すように、無色透明な合成樹脂製のリアデフォッガマーク４１が固定されている。このノブ４０は、図１の（ｂ）に示すように、ダイアルベース２３内に回転不能に収納されたものであり、図１の（ａ）に示すように、ダイアル２４の中央部に配置されている。このノブ４０はダイアル２４に対して相対的に前後方向へスライド可能にされたものであり、ノブ４０を前方のオフ位置から後方へ操作したときにはノブホルダ３９を介してスイッチ３７のプランジャ３８がオン操作され、ノブ４０がスイッチ３７の自己保持力でダイアルベース２３内に押込まれたオン位置に保持される。この状態でノブ４０を後方へ押込み操作すると、スイッチ３７のレリーズが動作することに基いてノブ４０がプランジャ３８の復元力で前方へスライドし、前方のオフ位置に復帰する。尚、ダイアルベース２３はノブベースに相当するものである。
【００１５】
ノブ４０には、図１の（ｂ）に示すように、インジケータに相当するレンズ４２の前端部が挿入されている。このレンズ４２は有色透明な合成樹脂を材料に形成されたものであり、ノブ４０に固定されている。また、スイッチ基板３６にはリアデフォッガ照明用のランプ４３・インジケータ用のＬＥＤ４４・モード照明用の複数のランプ（図示せず）が機械的に固定されている。これらランプ４３・ＬＥＤ４４・複数のランプはリアデフォッガマーク４１・レンズ４２・複数のモードマーク３４の後方に配置されたものであり、ランプ４３・ＬＥＤ４４・複数のランプの発光時にはリアデフォッガマーク４１・レンズ４２・複数のモードマーク３４が照明される。尚、ランプ４３は光源に相当するものである。
【００１６】
ノブ４０にはリアデフォッガマーク４１およびレンズ４２間に位置して遮光板４５が一体形成されている。この遮光板４５は後端部がＬＥＤ４４に対して上下方向にラップするものであり、ランプ４３からの投射光およびＬＥＤ４４からの投射光が混合することを抑え、ランプ４３からの投射光およびＬＥＤ４４からの投射光をリアデフォッガマーク４１およびレンズ４２に集中させる。
【００１７】
スイッチ基板３６には複数の導電板４６（図４参照）が機械的に固定されおり、スイッチ３７・リアデォッガ照明用のランプ４３・インジケータ用のＬＥＤ４４・モード照明用の複数のランプは導電板４６に電気的に接続されている。また、スイッチ基板３６には、図２に示すように、コネクタハウジング４７が一体形成されている。このコネクタハウジング４７内には複数の導電板４６の一端部が収納されており、スイッチ３７・リアデォッガ照明用のランプ４３・インジケータ用のＬＥＤ４４・モード照明用の複数のランプはコネクタハウジング４７にハーネスのコネクタ（いずれも図示せず）を嵌合することに基いて空調装置に電気的に接続される。
【００１８】
空調装置はリアガラスを加熱することに基いて曇止めするリアデフォッガ機能を有するものであり、ノブ４０をオン操作したときにはスイッチ３７がオンされ、空調装置がスイッチ３７のオンを検出することに基いてリアデフォッガ機能を作動させる。そして、ＬＥＤ４４に駆動電源を印加することに基いてレンズ４２を発光させ、運転者にリアデフォッガ機能のオンを報知する。
２．ブロアユニット２
ブロアユニット２はモード選択ユニット１との間で多数の部品を兼用するものであり、モード選択ユニット１との相違部分は次の通りである。
【００１９】
ユニットボディ１７には、図３の（ｂ）に示すように、合成樹脂製のダイアルベース４８が固定されており、ダイアルベース４８の外周面には合成樹脂製の外ダイアル４９が嵌合されている。この外ダイアル４９は、図４に示すように、径大な座部５０をユニットボディ１７の複数の爪部２２に係合することに基いて回転可能および脱落不能にされたものであり、外ダイアル４９には、図３の（ｂ）に示すように、ポインタ５１が固定されている。この外ダイアル４９の内周面にはギア部２６が一体形成されており、ギア部２６は主動ギア２７の径大部２８に噛合されている。
【００２０】
ダイアルベース４８には円弧状の開口部５２が形成されており、開口部５２内には、図３の（ａ）に示すように、有色不透明な合成樹脂製のマークプレート５３が固定されている。このマークプレート５３には無色透明な２個の取入口マーク５４が固定されており、外ダイアル４９を回動操作することに基いてポインタ５１を取入口マーク５４の外周部に選択的に対向させると、ケーブル１５が外ダイアル４９の回動位置に応じて移動する。すると、空調装置がケーブル１５の移動位置を検出し、取入口マーク５４の選択結果に応じて内気を取入れる内気用の取入口または外気を取入れる外気用の取入口を選択的に開放する。
【００２１】
ダイアルベース４８の内周面には、図３の（ａ）に示すように、有色不透明な合成樹脂製の内ダイアル５５が回転可能に装着されている。この内ダイアル５５は外ダイアル４９に対して同心状に配置されたものであり、内ダイアル５５の前面には突状のダイアル操作部５６が一体形成されている。このダイアル操作部５６には、図３の（ｂ）に示すように、ポインタとして機能するレンズ５７の前端部が固定されており、レンズ５７はスイッチ基板３６のランプ４４が点灯することに基いて照明される。
【００２２】
内ダイアル５５にはコンタクトホルダ５８のシャフト５９が固定されている。このコンタクトホルダ５８にはコンタクトスプリング６０を介して可動コンタクト６１が連結されており、可動コンタクト６１はコンタクトスプリング６０のばね力で固定コンタクト６２に押付けられている。この固定コンタクト６２は可動コンタクト６１と共にブロアスイッチ６３を構成するものであり、スイッチ基板３６に固定されている。このブロアスイッチ６３はコネクタハウジング４７にハーネスのコネクタを嵌合することに基いて空調装置に電気的に接続されるものであり、空調装置はブロアスイッチ６３からの出力信号に基いて風の吹出風量を設定する。
【００２３】
マークプレート５３には、図３の（ａ）に示すように、無色透明な複数のブロアマーク６４が固定されている。これら複数のブロアマーク６４および複数の取入口マーク５４はスイッチ基板３６の複数のランプが点灯することに基いて照明されるものであり、内ダイアル５５を回動操作することに基いてレンズ５７をブロアマーク６４の内周部に選択的に対向させると、ブロアスイッチ６３から内ダイアル５５の回動位置に応じた信号が出力される。すると、空調装置が風の吹出量をブロアスイッチ６３からの出力信号に基いて設定し、風の吹出量をブロアマーク６４の選択結果に応じた値に調整する。
３．温度コントロールユニット３
温度コントロールユニット３は多数の部品をモード選択ユニット１と兼用するものであり、モード選択ユニット１との相違部分は次の通りである。
【００２４】
ノブ４０には、図４に示すように、ランプ４３の前方に位置して空調マーク６５が固定されており、ノブ４０のオフ状態では空調装置がエアコン機能をオンオフするスイッチ３７のオフを検出し、ヒータ機能を選択的に有効化する。この状態ではＬＥＤ４４が消灯し、運転者にエアコン機能のオフが報知される。また、ノブ４０のオン状態では空調装置がスイッチ３７のオンを検出し、エアコン機能を選択的に有効化する。このオン状態ではＬＥＤ４４が点灯することに基いてレンズ４２が発光し、運転者にエアコン機能のオンが報知される。
【００２５】
ダイアル２４には２個の温度マーク６６が固定されており、ダイアル２４を回動操作することに基いて温度マーク６６の所定位置をポインタ３５の外周部に対向させると、ケーブル１５がダイアル２４の回動位置に応じて移動し、空調装置が風の吹出温度をケーブル１５の移動位置に応じて設定する。
上記第１実施例によれば、ブロアユニット２の外ダイアル４９の中央部に内ダイアル５５を同心状に挿入した。このため、外ダイアル４９の内周部のデッドスペースを有効利用できるので、ブロアユニット２が小形化される。しかも、外ダイアル４９および内ダイアル５５を続けて操作する場合に手を殆ど移動する必要がなくなるので、ブロアユニット２の操作性が向上する。
【００２６】
また、モード選択ユニット１のダイアル２４の中央部にノブ４０を挿入した。このため、ダイアル２４の内周部のデッドスペースを有効利用できるので、モード選択ユニット１が小形化される。しかも、ダイアル２４およびノブ４０を続けて操作する場合に手を殆ど移動する必要がなくなるので、操作性が向上する。この効果は温度コントロールユニット３についても同一である。
【００２７】
次に本発明の第２実施例を図６に基いて説明する。モード選択ユニット１のユニットボディ１７には、図６の（ｂ）に示すように、ダイアルベース４８が固定されており、ダイアルベース４８のマークプレート５３には、図６の（ａ）に示すように、複数のモードマーク３４が固定されている。このダイアルベース４８の内周面には、図６の（ｂ）に示すように、ノブ４０が前後方向へスライド可能に挿入されており、ノブ４０の押込み操作時にはノブホルダ３９を介してリアデフォッガ機能用のスイッチ３７がオン操作される。
【００２８】
ユニットボディ１７には外ダイアル４９が装着されている。この外ダイアル４９は径大な座部５０をユニットボディ１７の複数の爪部２２に係合することに基いて回転可能および脱落不能にされたものであり、外ダイアル４９の内周面にはギア部２６が一体形成され、外ダイアル４９のギア部２６は主動ギア２７の径大部２８に噛合されている。
外ダイアル４９にはポインタ５１が固定されており、外ダイアル４９を回動操作することに基いてポインタ５１をモードマーク３４に選択的に合せると、ギア部２６および主動ギア２７から従動ギア３１に操作力が伝達される。そして、ケーブル１５が外ダイアル４９の回動位置に応じて移動操作され、空調装置がモードマーク３４の選択結果に応じた吹出口を開放する。
【００２９】
次に本発明の第３実施例を図７に基いて説明する。モード選択ユニット１のユニットボディ１７には凹状の収納部６７が形成されており、収納部６７内には節度スプリング６８が収納されている。この節度スプリング６８の先端部には節度ボール６９が固定されており、節度ボール６９は節度スプリング６８のばね力でダイアル２４の内周面に押付けられている。このダイアル２４の内周面には複数の節度凹部７０が一体形成されており、ダイアル２４の操作時に節度ボール６９が節度凹部７０内に係合しときには節度スプリング６８のばね力で外周側へ移動し、節度ボール６９が節度凹部７０の残余部分に対応したときには節度スプリング６８のばね力に抗して内周側へ移動する。従って、ダイアル２４を操作するときに節度ボール６９の移動方向の変更に応じた節度感が発生する。
【００３０】
次に本発明の第４実施例を図８に基いて説明する。モード選択ユニット１のノブ４０には取入口マーク５４が固定されており、ノブ４０の非押込み操作時には空調装置がスイッチ３７のオフを検出することに基いて内気用の取入口を選択的に開放し、ノブ４０の押込み操作時にはスイッチ３７のオンを検出することに基いて外気用の取入口を選択的に開放する。また、ブロアユニット２のマークプレート５３にはリアデフォッガマーク４１が固定されており、外ダイアル４９のポインタ５１をリアデフォッガマーク４１に合わせると、空調装置がリアデフォッガ機能を有効化する。
【００３１】
尚、上記第１〜第４実施例においては、ブロアユニット２のレンズ５７に光を投射することに基いてレンズ５７を照明したが、これに限定されるものではなく、例えば本発明の第５実施例を示す図９のように、ブロアユニット２の内ダイアル５５に幅寸法が一定な貫通孔状の開口部７１を形成し、ランプ４３から投射された光を開口部７１を通して外部に放出することに基いてポインタとして機能させても良い。この構成の場合、ランプ４３からの投射光をレンズ５７に照射することに基いてレンズ５７を照明する必要がなくなる。このため、レンズ５７を廃止できるので、構成が簡単になり、コストが低減される。
【００３２】
また、上記第５実施例においては、内ダイアル５５に幅寸法が一定な貫通孔状の開口部７１を形成したが、これに限定されるものではなく、例えば前方へ向うに従って幅寸法が大きくなるテーパ孔状の開口部を形成し、放出光の拡散度を高めることに基いてポインタの視覚的な認識性を向上させても良い。
また、上記第１〜第５実施例においては、ケーブルユニット１６のシャフト１３に従動ギア３１を固定する構成としたが、これに限定されるものではなく、例えばシャフト１３に従動ギア３１を一体形成しても良い。
【図面の簡単な説明】
【００３３】
【図１】本発明の第１実施例を示す図（ａはモード選択ユニットを示す前面図、ｂはＸ線に沿う断面図）
【図２】モード選択ユニットを分解して示す斜視図
【図３】ブロアユニットを示す図１相当図
【図４】モード選択ユニット，ブロアユニット，温度コントロールユニットを示す斜視図
【図５】モード選択ユニット，ブロアユニット，温度コントロールユニットを組付け状態で示す図（ａは上面図、ｂは前面図）
【図６】本発明の第２実施例を示す図１相当図
【図７】本発明の第３実施例を示す図２相当図
【図８】本発明の第４実施例を示す図（ａはモード選択ユニットを示す前面図、ｂはブロアユニットを示す前面図、ｃは温度コントロールユニットを示す前面図）
【図９】本発明の第５実施例を示す図３の（ｂ）相当図
【符号の説明】
【００３４】
１はモード選択ユニット（操作装置）、２はブロアユニット（操作装置）、３は温度コントロールユニット（操作装置）、２３はダイアルベース（ノブベース）、２４はダイアル、３４はモードマーク（マーク）、３５はポインタ、３７はスイッチ、４０はノブ、４３はランプ（光源）、４９は外ダイアル、５５は内ダイアル、６６は温度マーク（マーク）、７１は開口部を示している。
【図１】
2005096582.tif 000003
【図２】
2005096582.tif 000004
【図３】
2005096582.tif 000005
【図４】
2005096582.tif 000006
【図５】
2005096582.tif 000007
【図６】
2005096582.tif 000008
【図７】
2005096582.tif 000009
【図８】
2005096582.tif 000010
【図９】
2005096582.tif 000011